(57)【要約】【課題】  側溝の側方の排水性舗装部または透水性舗装部との調和を図ることができ、かつ、側溝蓋の上方の雨水や排水性舗装部または透水性舗装部に浸透した雨水を、簡単に側溝内に取り入れることができる、側溝蓋を提供する。【解決手段】  側溝蓋４は、排水性舗装部２に隣接して埋設される側溝３に掛けられ、かつ、透水舗装材５によって覆われるように配備される。この側溝蓋４は、複数の蓋構成部材７、７を備える。これら蓋構成部材７、７は、透水舗装材５に浸透した雨水を側溝３内の排水路３ｄに導くための間隙８、８を、間に形成するように並べられている。また、側溝蓋４は、排水性舗装部２と透水舗装材５とを隔てる縁切り部４ｂを備える。そして、その縁切り部４ｂに、切欠きからなる連通部４ａが形成されている。【選択図】  図１
2006083537.tif 000002
【特許請求の範囲】
【請求項１】
排水性舗装部または透水性舗装部に隣接して埋設される側溝の蓋掛り部に掛けられ、かつ、透水舗装材によって覆われるように配備される、側溝蓋であって、
前記排水性舗装部または透水性舗装部における透水層と前記透水舗装材とを連通させるための連通部を有し、
前記透水舗装材に浸透した雨水を前記側溝内の排水路に導くための間隙を、間に形成するように並べられた、複数の蓋構成部材を備えることを特徴とする側溝蓋。
【請求項２】
前記複数の蓋構成部材のうちの少なくとも一部は、前記間隙に面するとともに、前記透水舗装材に浸透した雨水を集水するようにして前記排水路に導く、傾斜面を有することを特徴とする請求項１に記載の側溝蓋。
【請求項３】
前記複数の蓋構成部材のほぼ全て（全てを含む）は、前記傾斜面を両側に有する形材からなることを特徴とする請求項２に記載の側溝蓋。
【請求項４】
前記形材は、Ｌ形鋼であることを特徴とする請求項３に記載の側溝蓋。
【請求項５】
前記排水性舗装部または透水性舗装部と前記透水舗装材とを隔てるように設けられるとともに上端が露出する縁切り部を備え、
前記連通部は、前記縁切り部に設けられた孔または切欠きからなることを特徴とする請求項１ないし４のいずれか１項に記載の側溝蓋。
【請求項６】
前記側溝の蓋掛り部のそれぞれに配置されるベース部材を備え、
前記蓋構成部材は、前記両ベース部材に渡されるようにして固定されて、前記側溝の延びる方向に並んでいることを特徴とする請求項１ないし５のいずれか１項に記載の側溝蓋。
【請求項７】
排水性舗装部または透水性舗装部と、その排水性舗装部または透水性舗装部に隣接して埋設される側溝と、その側溝の蓋掛り部に掛けられる側溝蓋と、その側溝蓋を覆う透水舗装材とからなる排水構造であって、
前記排水性舗装部または透水性舗装部における透水層と前記透水舗装材とを連通させるための連通部を有し、
前記側溝蓋は、前記透水舗装材に浸透した雨水を前記側溝内の排水路に導くための間隙を、間に形成するように並べられた、複数の蓋構成部材を備えることを特徴とする、側溝蓋を用いた排水構造。
【発明の詳細な説明】
【技術分野】
【０００１】
この発明は、側溝内の排水路に雨水を導くための側溝蓋、および、側溝蓋を用いた排水構造に関するものである。
【背景技術】
【０００２】
従来の側溝蓋としては、コンクリート蓋とか、鋼製のグレーチングとかがあった。
【発明の開示】
【発明が解決しようとする課題】
【０００３】
ところで、前記従来の側溝蓋にあっては、その側溝蓋は、その上面が露出しており、周囲の路面との調和が取れていなかった。
【０００４】
また、側溝の側方が、排水性舗装された道路等、すなわち排水性舗装部である場合には、その排水性舗装部に浸透した雨水を側溝内に導くために、側溝に導水孔を設けたりしなければならなかった。また、側溝の側方が、透水性舗装された道路等、すなわち透水性舗装部である場合にあっても、その透水性舗装部に浸透した雨水の一部を側溝内に導くために、側溝に導水孔を設けることがあった。
【０００５】
この発明は、上記した従来の欠点を解決するためになされたものであり、その目的とするところは、側溝の側方の排水性舗装部または透水性舗装部との調和を図ることができ、かつ、側溝蓋の上方の雨水や排水性舗装部または透水性舗装部に浸透した雨水を、簡単に側溝内に取り入れることができる、側溝蓋、および、側溝蓋を用いた排水構造を提供することにある。
【課題を解決するための手段】
【０００６】
この発明に係る側溝蓋、および、側溝蓋を用いた排水構造は、前記目的を達成するために、次の構成からなる。すなわち、
請求項１に記載の発明に係る側溝蓋は、排水性舗装部または透水性舗装部に隣接して埋設される側溝の蓋掛り部に掛けられ、かつ、透水舗装材によって覆われるように配備される、側溝蓋である。この側溝蓋は、前記排水性舗装部または透水性舗装部における透水層と前記透水舗装材とを連通させるための連通部を有する。そして、側溝蓋は、前記透水舗装材に浸透した雨水を前記側溝内の排水路に導くための間隙を、間に形成するように並べられた、複数の蓋構成部材を備える。
【０００７】
こうして、側溝に掛けられる側溝蓋が、透水舗装材によって覆われることで、この側溝蓋部分は、側溝の側方の排水性舗装部または透水性舗装部と、調和することとなる。そして、側溝蓋の上方の雨水は、側溝蓋を覆う透水舗装材に浸透し、蓋構成部材間の間隙を通って側溝内の排水路に導かれる。また、側溝の側方の排水性舗装部または透水性舗装部の上方の雨水は、その排水性舗装部または透水性舗装部における透水層に浸透し、さらに、連通部を通って、側溝蓋を覆う透水舗装材側に浸透するようにして流入し、蓋構成部材間の間隙を通って側溝内の排水路に導かれる。このように、側溝蓋の上方の雨水や排水性舗装部または透水性舗装部に浸透した雨水は、側溝蓋を覆う透水舗装材と、蓋構成部材間の間隙とを介すことで、簡単に側溝内の排水路に取り入れられる。
【０００８】
また、請求項２に記載の発明に係る側溝蓋のように、請求項１に記載の側溝蓋において、前記複数の蓋構成部材のうちの少なくとも一部は、前記間隙に面するとともに、前記透水舗装材に浸透した雨水を集水するようにして前記排水路に導く、傾斜面を有するのが望ましい。これにより、透水舗装材に浸透した雨水の少なくとも一部は、この傾斜面によって、集水されて側溝内の排水路に導かれる。
【０００９】
また、請求項３に記載の発明に係る側溝蓋のように、請求項２に記載の側溝蓋において、前記複数の蓋構成部材のほぼ全て（全てを含む）は、前記傾斜面を両側に有する形材からなってもよい。このように、蓋構成部材が、傾斜面を両側に有する形材からなることで、この形材により、蓋構成部材の傾斜面が容易に形成される。しかも、この形材により、蓋構成部材、ひいては側溝蓋は、上からの荷重に対する強度が大となる。
【００１０】
また、請求項４に記載の発明に係る側溝蓋のように、請求項３に記載の側溝蓋において、前記形材は、Ｌ形鋼であってもよい。
【００１１】
また、請求項５に記載の発明に係る側溝蓋のように、請求項１ないし４のいずれか１項に記載の側溝蓋において、前記排水性舗装部または透水性舗装部と前記透水舗装材とを隔てるように設けられるとともに上端が露出する縁切り部を備え、前記連通部は、前記縁切り部に設けられた孔または切欠きからなってもよい。このように、側溝蓋が、排水性舗装部または透水性舗装部と透水舗装材とを隔てるように設けられるとともに上端が露出する縁切り部を備えることで、この縁切り部を目安にして、側溝蓋の位置、ひいては側溝の位置を確認することができる。しかも、排水性舗装部または透水性舗装部が、沈下した場合であっても、縁切り部により、その排水性舗装部または透水性舗装部と透水舗装材との間のひび割れを避けることが可能となる。
【００１２】
また、請求項６に記載の発明に係る側溝蓋のように、請求項１ないし５のいずれか１項に記載の側溝蓋において、前記側溝の蓋掛り部のそれぞれに配置されるベース部材を備え、前記蓋構成部材は、前記両ベース部材に渡されるようにして固定されて、前記側溝の延びる方向に並んでいてもよい。
【００１３】
また、請求項７に記載の発明に係る側溝蓋を用いた排水構造は、排水性舗装部または透水性舗装部と、その排水性舗装部または透水性舗装部に隣接して埋設される側溝と、その側溝の蓋掛り部に掛けられる側溝蓋と、その側溝蓋を覆う透水舗装材とからなる。ここで、排水構造は、前記排水性舗装部または透水性舗装部における透水層と前記透水舗装材とを連通させるための連通部を有する。そして、前記側溝蓋は、前記透水舗装材に浸透した雨水を前記側溝内の排水路に導くための間隙を、間に形成するように並べられた、複数の蓋構成部材を備える。
【００１４】
この排水構造によると、側溝に掛けられる側溝蓋が、透水舗装材によって覆われることで、この側溝蓋部分は、側溝の側方の排水性舗装部または透水性舗装部と、調和することとなる。そして、側溝蓋の上方の雨水は、側溝蓋を覆う透水舗装材に浸透し、蓋構成部材間の間隙を通って側溝内の排水路に導かれる。また、側溝の側方の排水性舗装部または透水性舗装部の上方の雨水は、その排水性舗装部または透水性舗装部における透水層に浸透し、さらに、連通部を通って、側溝蓋を覆う透水舗装材側に浸透するようにして流入し、蓋構成部材間の間隙を通って側溝内の排水路に導かれる。このように、側溝蓋の上方の雨水や排水性舗装部または透水性舗装部に浸透した雨水は、側溝蓋を覆う透水舗装材と、蓋構成部材間の間隙とを介すことで、簡単に側溝内の排水路に取り入れられる。
【発明の効果】
【００１５】
この発明に係る側溝蓋、および、側溝蓋を用いた排水構造によれば、側溝に掛けられる側溝蓋が、透水舗装材によって覆われることで、側溝の側方の排水性舗装部または透水性舗装部との調和を図ることができる。そして、側溝蓋を覆う透水舗装材と、蓋構成部材間の間隙とを介すことで、側溝蓋の上方の雨水や排水性舗装部または透水性舗装部に浸透した雨水を、簡単に側溝内に取り入れることができる。
【発明を実施するための最良の形態】
【００１６】
以下、この発明に係る側溝蓋、および、側溝蓋を用いた排水構造を実施するための最良の形態を図面に基づいて説明する。
【００１７】
図１ないし図４は、本発明の一実施の形態を示す。図中符号１は、路床である。２は、前記路床１上の排水性舗装部である。３は、側溝であって、道路（車道あるいは歩道、特に車道）とか駐車場等において、排水性舗装部２に隣接して埋設される。４は、側溝蓋であって、前記側溝３の蓋掛り部３ａ、３ａに掛けられ、かつ、透水舗装材５によって覆われるように配備される。６は、排水構造であって、前記排水性舗装部２と、前記側溝３と、前記側溝蓋４と、その側溝蓋４を覆う透水舗装材５とからなる。
【００１８】
ここで、排水性舗装部２は、路床１の上に敷設された不透水層２ａと、その不透水層２ａの上に敷設された透水層２ｂとからなる。側溝３は、例えばＵ字側溝からなる。この側溝３は、側溝蓋４が掛けられる蓋掛り部３ａとしての第１および第２の蓋掛り部３０１、３０２を備えている。第１の蓋掛り部３０１は、側溝３における一方の側壁３ｂの上端面からなる。第２の蓋掛り部３０２は、第１の蓋掛り部３０１と同一高さであって、側溝３における他方の側壁３ｂの、内側部分の上端面からなる。そして、この他方の側壁３ｂの、外側部分は、第２の蓋掛り部３０２よりも上方に突出する突設部３ｃとなっている。
【００１９】
側溝蓋４は、排水性舗装部２における透水層２ｂと前記透水舗装材５とを連通させるための連通部４ａを有する。そして、側溝蓋４は、複数の蓋構成部材７、７を備える。これら複数の蓋構成部材７、７は、透水舗装材５に浸透した雨水を側溝３内の排水路３ｄに導くための間隙８、８を、間に形成するように並べられている。そこで、複数の蓋構成部材７、７のうちのすくなくとも一部（図示実施の形態においては全部）は、前記間隙８に面するとともに、透水舗装材５に浸透した雨水を集水するようにして側溝３の排水路３ｄに導く、傾斜面７ａを有する。また、側溝蓋４は、排水性舗装部２と透水舗装材５とを隔てるように設けられるとともに上端が露出する縁切り部４ｂを備える。そして、前記連通部４ａは、前記縁切り部４ｂに設けられた孔または切欠きからなる。
【００２０】
具体的には、側溝蓋４は、側溝３の蓋掛り部３ａ、３ａのそれぞれに配置されるベース部材９としての、第１および第２のベース部材９０１、９０２を備える。詳細には、第１のベース部材９０１が、第１の蓋掛り部３０１に、その長手方向に沿って延びるように配置され、第２のベース部材９０２が、第２の蓋掛り部３０２に、その長手方向に沿って延びるように配置される。ここにおいて、ベース部材９（９０１、９０２）は、Ｌ形鋼からなり、そのＬ形鋼の一方の片が、蓋掛り部３ａに載る底片９ａとなり、他方の片が、底片９ａから立ち上がる側片９ｂとなっている。ここにおいて、第１のベース部材９０１の側片９ｂは、側溝３における側壁３ｂの外面と面一となって、その側溝３における突設部３ｃとほぼ同一の高さとなるまで延びている。そして、第１のベース部材９０１の側片９ｂの上部部分が、前記縁切り部４ｂとなっている。そこで、この縁切り部４ｂに、前記連通部４ａとなる切欠きが、上端から下方に向かって切り欠かれて形成されている。一方、第２のベース部材９０２の側片９ｂは、突設部３ｃに沿ってその突設部３ｃの中間高さ位置まで延びている。
【００２１】
複数の蓋構成部材７、７は、前記両ベース部材９、９（９０１、９０２）に渡されるようにして、それらベース部材９、９に、例えば溶接により固定されている。このとき、蓋構成部材７は、ベース部材９、９の底片９ａ、９ａに載り、その蓋構成部材７の側端面７ｂ、７ｂが、ベース部材９、９の側片９ｂ、９ｂに当接あるいは近接している。そして、複数の蓋構成部材７、７は、側溝３の延びる方向に並んでいる。ここにおいて、複数の蓋構成部材７、７のほぼ全て（全てを含む）は、前記傾斜面７ａを両側に有する形材からなる。図示実施の形態においては、複数の蓋構成部材７、７の全てがこの形材からなる。すなわち、蓋構成部材７を形成する形材は、Ｌ形鋼であって、その開口側が下方を向くようにして、つまり、上方に凸となるような山形を形成するように伏せられて配置されることで、その両片が、前記傾斜面７ａ、７ａを形成している。こうして、蓋構成部材７、７間の間隙８は、下方ほど幅狭となるように形成されて、前記雨水が集水される。なお、符号１０は、側溝蓋４が、側溝３の蓋掛り部３ａから横にずれるのを防止する、位置決め部材である。
【００２２】
次に、以上の構成からなる側溝蓋４および排水構造６の作用効果について説明する。この側溝蓋４および排水構造６によると、側溝３に掛けられる側溝蓋４が、透水舗装材５によって覆われることで、この側溝蓋４部分は、側溝３の側方の排水性舗装部２（詳細には上層を形成する透水層２ｂ）と、一体的となって調和が図られる。そして、側溝蓋４の上方の雨水は、側溝蓋４を覆う透水舗装材５に浸透し、蓋構成部材７、７間の間隙８、８を通って側溝３内の排水路３ｄに導かれる。また、側溝３の側方の排水性舗装部２の上方の雨水は、その排水性舗装部２における透水層２ｂに浸透する。そして、その透水層２ｂに浸透した雨水は、連通部４ａを通って、側溝蓋４を覆う透水舗装材５側に浸透するようにして流入し、蓋構成部材７、７間の間隙８、８を通って側溝３内の排水路３ｄに導かれる。このように、側溝蓋４の上方の雨水や排水性舗装部２（詳細には、透水層２ｂ）に浸透した雨水は、側溝蓋４を覆う透水舗装材５と、蓋構成部材７、７間の間隙８、８とを介すことで、簡単に側溝３内の排水路３ｄに取り入れられる。
【００２３】
また、ここにおいて、複数の蓋構成部材７、７のうちの少なくとも一部（図示実施の形態においては全て）は、雨水を集水するようにして側溝３内の排水路３ｄに導く傾斜面７ａを有しており、側溝蓋４を覆う透水舗装材５に浸透した雨水の少なくとも一部（図示実施の形態においてはほぼ全部）は、この傾斜面７ａによって、集水されて排水路３ｄに導かれる。特に図示実施の形態においては、蓋構成部材７は、頂部に平面部を有しないため、雨水が、蓋構成部材７の頂部に溜まることなく、スムーズに間隙８を通って排水路３ｄに導かれる。
【００２４】
そして、蓋構成部材７が、傾斜面７ａを両側に有する形材からなることで、この形材により、蓋構成部材７の傾斜面７ａが容易に形成される。しかも、この形材により、蓋構成部材７、ひいては側溝蓋４は、上からの荷重に対する強度が大となる。
【００２５】
また、側溝蓋４が、排水性舗装部２と前記透水舗装材５とを隔てるように設けられるとともに上端が露出する縁切り部４ｂを備えることで、この縁切り部４ｂを目安にして、側溝蓋４の位置、ひいては側溝３の位置を確認することができる。しかも、排水性舗装部２が、何らかの原因で沈下した場合であっても、縁切り部４ｂにより、その排水性舗装部２と透水舗装材５との間のひび割れを避けることが可能となる。
【００２６】
なお、本発明は、上述した実施の形態に限定されるわけではなく、その他種々の変更が可能である。例えば、蓋構成部材７の側端面７ｂは、第１のベース部材９０１の側片９ｂに当接あるいは近接しなくとも、図５および図６に示すように、離れていてもよい。そして、この場合には、透水舗装材５の舗装材が、蓋構成部材７の側端面７ｂ側から側溝３内の排水路３ｄに落下しないように、その側端面７ｂに落下防止部材１１が設けられるのが好ましい。
【００２７】
また、側溝蓋４は、縁切り部４ｂを備えているが、図７に示すように、第１のベース部材９０１の側片９ｂが短く形成されることで、前記縁切り部４ｂを備えないようにしてもよい。この場合、この第１のベース部材９０１の短くなった側片９ｂの上方が、排水性舗装部２の透水層２ｂと、側溝蓋４を覆う透水舗装材５とを連通させる連通部４ａとなる。
【００２８】
また、排水性舗装部２は、側溝３の一方の側だけでなく、図８に示すように、両側にあってもよい。この場合には、側溝３における第２の蓋掛り部３０２側の突設部３ｃを除くことで、その第２の蓋掛り部３０２を第１の蓋掛り部３０１と同様の形状とし、側溝蓋４において、第２のベース部材９０２側を、第１のベース部材９０１側と同様の構造とする。
【００２９】
また、側溝蓋４の蓋構成部材７は、両蓋掛り部３０１、３０２に渡されるように（図示実施の形態においては、蓋掛り部３０１、３０２に載るベース部材９０１、９０２に架けられるように）配置されなくとも、図９に示すように、側溝３の延びる方向に沿うように配置されてもよい。ここで、蓋掛り部３０１、３０２には、ベース部材１２、１２が間隔を置いて架けられている。そして、複数の蓋構成部材７、７が、間に間隙８を形成するようにしてベース部材１２、１２に架けられて、蓋掛り部３０１、３０２間に並んでいる。
【００３０】
また、蓋構成部材７を形成する形材は、Ｌ形鋼でなくとも、図１０に示すように、半円型の形鋼であってもよく、また、図１１に示すように、台形型の形鋼であってもよい。さらには、側溝蓋４は、図１２に示すように、Ｌ形鋼からなる蓋構成部材７の一つあるいは複数と、みぞ形鋼からなる蓋構成部材７の一つあるいは複数とが順に並ぶように配置されてもよく、図１３に示すように、Ｌ形鋼からなる蓋構成部材７の一つあるいは複数と、鋼板からなる蓋構成部材７の一つあるいは複数とが順に並ぶように配置されてもよく、図１４に示すように、Ｌ型鋼からなる蓋構成部材７の一つあるいは複数と、鋼棒からなる蓋構成部材７の一つあるいは複数とが順に並ぶように配置されてもよい。すなわち、蓋構成部材７の形状とか配置形態は、本発明の趣旨を逸脱しない範囲においてどのような構成であってもよい。また、蓋構成部材７は、鋼材に限定されるものではなく、アルミ等その他の金属材料からなっていてもよい。
【００３１】
また、本発明は、側溝３が、排水性舗装部２に隣接して埋設される場合だけでなく、側溝３が、例えば歩道において、透水性舗装部（すなわち、不透水層２ａを有せず透水層２ｂからなる舗装部）に隣接して埋設される場合にも適用されるものである。
【図面の簡単な説明】
【００３２】
【図１】この発明の一実施の形態の正面図である。
【図２】同じく、右側面図である。
【図３】同じく、平面図である。
【図４】図１におけるＡ−Ａ線による拡大断面図である。
【図５】この発明の、第１の変形態様を示す正面図である。
【図６】図５におけるＢ−Ｂ線による断面図である。
【図７】この発明の、第２の変形態様を示す正面図である。
【図８】この発明の、第３の変形態様を示す正面図である。
【図９】この発明の、第４の変形態様を示す平面図である。
【図１０】この発明における蓋構成部材の、第１の変形例を示す図４相当図である。
【図１１】この発明における蓋構成部材の、第２の変形例を示す図４相当図である。
【図１２】この発明における蓋構成部材の、第３の変形例を示す図４相当図である。
【図１３】この発明における蓋構成部材の、第４の変形例を示す図４相当図である。
【図１４】この発明における蓋構成部材の、第５の変形例を示す図４相当図である。
【符号の説明】
【００３３】
２  排水性舗装部
２ｂ  透水層
３  側溝
３ａ  蓋掛り部
３ｄ  排水路
４  側溝蓋
４ａ  連通部
４ｂ  縁切り部
５  透水舗装材
６  排水構造
７  蓋構成部材
７ａ  傾斜面
８  間隙
９  ベース部材
３０１  第１の蓋掛り部（蓋掛り部）
３０２  第２の蓋掛り部（蓋掛り部）
９０１  第１のベース部材（ベース部材）
９０２  第２のベース部材（ベース部材）
【図１】
2006083537.tif 000003
【図２】
2006083537.tif 000004
【図３】
2006083537.tif 000005
【図４】
2006083537.tif 000006
【図５】
2006083537.tif 000007
【図６】
2006083537.tif 000008
【図７】
2006083537.tif 000009
【図８】
2006083537.tif 000010
【図９】
2006083537.tif 000011
【図１０】
2006083537.tif 000012
【図１１】
2006083537.tif 000013
【図１２】
2006083537.tif 000014
【図１３】
2006083537.tif 000015
【図１４】
2006083537.tif 000016
【手続補正書】
【提出日】平成17年10月5日(2005.10.5)
【手続補正１】
【補正対象書類名】特許請求の範囲
【補正対象項目名】全文
【補正方法】変更
【補正の内容】
【特許請求の範囲】
【請求項１】
排水性舗装部または透水性舗装部に隣接して埋設される側溝の蓋掛り部に掛けられ、かつ、透水舗装材によって覆われるように配備される、側溝蓋であって、
前記排水性舗装部または透水性舗装部と前記透水舗装材とを隔てるように設けられるとともに上端が露出する縁切り部を備え、その縁切り部に、前記排水性舗装部または透水性舗装部における透水層と前記透水舗装材とを連通させるための連通部が設けられ、また、
前記透水舗装材に浸透した雨水を前記側溝内の排水路に導くための間隙を、間に形成するように並べられた、複数の蓋構成部材を備えることを特徴とする側溝蓋。
【請求項２】
前記複数の蓋構成部材のうちの少なくとも一部は、前記間隙に面するとともに、前記透水舗装材に浸透した雨水を集水するようにして前記排水路に導く、傾斜面を有することを特徴とする請求項１に記載の側溝蓋。
【請求項３】
前記複数の蓋構成部材のほぼ全て（全てを含む）は、前記傾斜面を両側に有する形材からなることを特徴とする請求項２に記載の側溝蓋。
【請求項４】
前記側溝の蓋掛り部のそれぞれに配置されるベース部材を備え、
前記蓋構成部材は、前記両ベース部材に渡されるようにして固定されて、前記側溝の延びる方向に並んでいることを特徴とする請求項１ないし３のいずれか１項に記載の側溝蓋。
【請求項５】
前記ベース部材のすくなくとも一方は、Ｌ形鋼からなり、そのＬ形鋼の一方の片が、前記蓋掛り部に載る底片となり、他方の片が、前記底片から立ち上る側片となっており、その側片の上部部分が、前記縁切り部となっていることを特徴とする請求項４に記載の側溝蓋。
【請求項６】
排水性舗装部または透水性舗装部と、その排水性舗装部または透水性舗装部に隣接して埋設される側溝と、その側溝の蓋掛り部に掛けられる側溝蓋と、その側溝蓋を覆う透水舗装材とからなる排水構造であって、
前記側溝蓋は、前記排水性舗装部または透水性舗装部と前記透水舗装材とを隔てるように設けられるとともに上端が露出する縁切り部を備え、その縁切り部に、前記排水性舗装部または透水性舗装部における透水層と前記透水舗装材とを連通させるための連通部が設けられ、また、
前記側溝蓋は、前記透水舗装材に浸透した雨水を前記側溝内の排水路に導くための間隙を、間に形成するように並べられた、複数の蓋構成部材を備えることを特徴とする、側溝蓋を用いた排水構造。
【請求項７】
前記側溝蓋は、前記側溝の蓋掛り部のそれぞれに配置されるベース部材を備え、
前記蓋構成部材は、前記両ベース部材に渡されるようにして固定されて、前記側溝の延びる方向に並び、
前記ベース部材のすくなくとも一方は、Ｌ形鋼からなり、そのＬ形鋼の一方の片が、前記蓋掛り部に載る底片となり、他方の片が、前記底片から立ち上る側片となっており、その側片の上部部分が、前記縁切り部となっていることを特徴とする請求項６に記載の、側溝蓋を用いた排水構造。
【手続補正２】
【補正対象書類名】明細書
【補正対象項目名】全文
【補正方法】変更
【補正の内容】
【発明の詳細な説明】
【技術分野】
【０００１】
この発明は、側溝内の排水路に雨水を導くための側溝蓋、および、側溝蓋を用いた排水構造に関するものである。
【背景技術】
【０００２】
従来の側溝蓋としては、コンクリート蓋とか、鋼製のグレーチングとかがあった。
【発明の開示】
【発明が解決しようとする課題】
【０００３】
ところで、前記従来の側溝蓋にあっては、その側溝蓋は、その上面が露出しており、周囲の路面との調和が取れていなかった。
【０００４】
また、側溝の側方が、排水性舗装された道路等、すなわち排水性舗装部である場合には、その排水性舗装部に浸透した雨水を側溝内に導くために、側溝に導水孔を設けたりしなければならなかった。また、側溝の側方が、透水性舗装された道路等、すなわち透水性舗装部である場合にあっても、その透水性舗装部に浸透した雨水の一部を側溝内に導くために、側溝に導水孔を設けることがあった。
【０００５】
この発明は、上記した従来の欠点を解決するためになされたものであり、その目的とするところは、側溝の側方の排水性舗装部または透水性舗装部との調和を図ることができ、かつ、側溝蓋の上方の雨水や排水性舗装部または透水性舗装部に浸透した雨水を、簡単に側溝内に取り入れることができる、側溝蓋、および、側溝蓋を用いた排水構造を提供することにある。
【課題を解決するための手段】
【０００６】
この発明に係る側溝蓋、および、側溝蓋を用いた排水構造は、前記目的を達成するために、次の構成からなる。すなわち、
請求項１に記載の発明に係る側溝蓋は、排水性舗装部または透水性舗装部に隣接して埋設される側溝の蓋掛り部に掛けられ、かつ、透水舗装材によって覆われるように配備される、側溝蓋である。この側溝蓋は、前記排水性舗装部または透水性舗装部と前記透水舗装材とを隔てるように設けられるとともに上端が露出する縁切り部を備え、その縁切り部に、前記排水性舗装部または透水性舗装部における透水層と前記透水舗装材とを連通させるための連通部が設けられる。そして、側溝蓋は、前記透水舗装材に浸透した雨水を前記側溝内の排水路に導くための間隙を、間に形成するように並べられた、複数の蓋構成部材を備える。
【０００７】
こうして、側溝に掛けられる側溝蓋が、透水舗装材によって覆われることで、この側溝蓋部分は、側溝の側方の排水性舗装部または透水性舗装部と、調和することとなる。そして、側溝蓋の上方の雨水は、側溝蓋を覆う透水舗装材に浸透し、蓋構成部材間の間隙を通って側溝内の排水路に導かれる。また、側溝の側方の排水性舗装部または透水性舗装部の上方の雨水は、その排水性舗装部または透水性舗装部における透水層に浸透し、さらに、連通部を通って、側溝蓋を覆う透水舗装材側に浸透するようにして流入し、蓋構成部材間の間隙を通って側溝内の排水路に導かれる。このように、側溝蓋の上方の雨水や排水性舗装部または透水性舗装部に浸透した雨水は、側溝蓋を覆う透水舗装材と、蓋構成部材間の間隙とを介すことで、簡単に側溝内の排水路に取り入れられる。また、側溝蓋が、排水性舗装部または透水性舗装部と透水舗装材とを隔てるように設けられるとともに上端が露出する縁切り部を備えることで、この縁切り部を目安にして、側溝蓋の位置、ひいては側溝の位置を確認することができる。しかも、排水性舗装部または透水性舗装部が、沈下した場合であっても、縁切り部により、その排水性舗装部または透水性舗装部と透水舗装材との間のひび割れを避けることが可能となる。
【０００８】
また、請求項２に記載の発明に係る側溝蓋のように、請求項１に記載の側溝蓋において、前記複数の蓋構成部材のうちの少なくとも一部は、前記間隙に面するとともに、前記透水舗装材に浸透した雨水を集水するようにして前記排水路に導く、傾斜面を有するのが望ましい。これにより、透水舗装材に浸透した雨水の少なくとも一部は、この傾斜面によって、集水されて側溝内の排水路に導かれる。
【０００９】
また、請求項３に記載の発明に係る側溝蓋のように、請求項２に記載の側溝蓋において、前記複数の蓋構成部材のほぼ全て（全てを含む）は、前記傾斜面を両側に有する形材からなってもよい。このように、蓋構成部材が、傾斜面を両側に有する形材からなることで、この形材により、蓋構成部材の傾斜面が容易に形成される。しかも、この形材により、蓋構成部材、ひいては側溝蓋は、上からの荷重に対する強度が大となる。
【００１０】
【００１１】
【００１２】
また、請求項４に記載の発明に係る側溝蓋のように、請求項１ないし３のいずれか１項に記載の側溝蓋において、前記側溝の蓋掛り部のそれぞれに配置されるベース部材を備え、前記蓋構成部材は、前記両ベース部材に渡されるようにして固定されて、前記側溝の延びる方向に並んでいてもよい。
また、請求項５に記載の発明に係る側溝蓋のように、請求項４に記載の側溝蓋において、前記ベース部材のすくなくとも一方は、Ｌ形鋼からなり、そのＬ形鋼の一方の片が、前記蓋掛り部に載る底片となり、他方の片が、前記底片から立ち上る側片となっており、その側片の上部部分が、前記縁切り部となっていてもよい。
【００１３】
また、請求項６に記載の発明に係る側溝蓋を用いた排水構造は、排水性舗装部または透水性舗装部と、その排水性舗装部または透水性舗装部に隣接して埋設される側溝と、その側溝の蓋掛り部に掛けられる側溝蓋と、その側溝蓋を覆う透水舗装材とからなる。ここで、前記側溝蓋は、前記排水性舗装部または透水性舗装部と前記透水舗装材とを隔てるように設けられるとともに上端が露出する縁切り部を備え、その縁切り部に、前記排水性舗装部または透水性舗装部における透水層と前記透水舗装材とを連通させるための連通部が設けられる。そして、前記側溝蓋は、前記透水舗装材に浸透した雨水を前記側溝内の排水路に導くための間隙を、間に形成するように並べられた、複数の蓋構成部材を備える。
【００１４】
この排水構造によると、側溝に掛けられる側溝蓋が、透水舗装材によって覆われることで、この側溝蓋部分は、側溝の側方の排水性舗装部または透水性舗装部と、調和することとなる。そして、側溝蓋の上方の雨水は、側溝蓋を覆う透水舗装材に浸透し、蓋構成部材間の間隙を通って側溝内の排水路に導かれる。また、側溝の側方の排水性舗装部または透水性舗装部の上方の雨水は、その排水性舗装部または透水性舗装部における透水層に浸透し、さらに、連通部を通って、側溝蓋を覆う透水舗装材側に浸透するようにして流入し、蓋構成部材間の間隙を通って側溝内の排水路に導かれる。このように、側溝蓋の上方の雨水や排水性舗装部または透水性舗装部に浸透した雨水は、側溝蓋を覆う透水舗装材と、蓋構成部材間の間隙とを介すことで、簡単に側溝内の排水路に取り入れられる。また、側溝蓋が、排水性舗装部または透水性舗装部と透水舗装材とを隔てるように設けられるとともに上端が露出する縁切り部を備えることで、この縁切り部を目安にして、側溝蓋の位置、ひいては側溝の位置を確認することができる。しかも、排水性舗装部または透水性舗装部が、沈下した場合であっても、縁切り部により、その排水性舗装部または透水性舗装部と透水舗装材との間のひび割れを避けることが可能となる。
また、請求項７に記載の発明に係る側溝蓋を用いた排水構造のように、請求項６に記載の排水構造において、前記側溝蓋は、前記側溝の蓋掛り部のそれぞれに配置されるベース部材を備え、前記蓋構成部材は、前記両ベース部材に渡されるようにして固定されて、前記側溝の延びる方向に並び、前記ベース部材のすくなくとも一方は、Ｌ形鋼からなり、そのＬ形鋼の一方の片が、前記蓋掛り部に載る底片となり、他方の片が、前記底片から立ち上る側片となっており、その側片の上部部分が、前記縁切り部となっていてもよい。
【発明の効果】
【００１５】
この発明に係る側溝蓋、および、側溝蓋を用いた排水構造によれば、側溝に掛けられる側溝蓋が、透水舗装材によって覆われることで、側溝の側方の排水性舗装部または透水性舗装部との調和を図ることができる。そして、側溝蓋を覆う透水舗装材と、蓋構成部材間の間隙とを介すことで、側溝蓋の上方の雨水や排水性舗装部または透水性舗装部に浸透した雨水を、簡単に側溝内に取り入れることができる。また、縁切り部を目安にして、側溝蓋の位置、ひいては側溝の位置を確認することができる。しかも、排水性舗装部または透水性舗装部が、沈下した場合であっても、縁切り部により、その排水性舗装部または透水性舗装部と透水舗装材との間のひび割れを避けることが可能となる。
【発明を実施するための最良の形態】
【００１６】
以下、この発明に係る側溝蓋、および、側溝蓋を用いた排水構造を実施するための最良の形態を図面に基づいて説明する。
【００１７】
図１ないし図４は、本発明の一実施の形態を示す。図中符号１は、路床である。２は、前記路床１上の排水性舗装部である。３は、側溝であって、道路（車道あるいは歩道、特に車道）とか駐車場等において、排水性舗装部２に隣接して埋設される。４は、側溝蓋であって、前記側溝３の蓋掛り部３ａ、３ａに掛けられ、かつ、透水舗装材５によって覆われるように配備される。６は、排水構造であって、前記排水性舗装部２と、前記側溝３と、前記側溝蓋４と、その側溝蓋４を覆う透水舗装材５とからなる。
【００１８】
ここで、排水性舗装部２は、路床１の上に敷設された不透水層２ａと、その不透水層２ａの上に敷設された透水層２ｂとからなる。側溝３は、例えばＵ字側溝からなる。この側溝３は、側溝蓋４が掛けられる蓋掛り部３ａとしての第１および第２の蓋掛り部３０１、３０２を備えている。第１の蓋掛り部３０１は、側溝３における一方の側壁３ｂの上端面からなる。第２の蓋掛り部３０２は、第１の蓋掛り部３０１と同一高さであって、側溝３における他方の側壁３ｂの、内側部分の上端面からなる。そして、この他方の側壁３ｂの、外側部分は、第２の蓋掛り部３０２よりも上方に突出する突設部３ｃとなっている。
【００１９】
側溝蓋４は、排水性舗装部２における透水層２ｂと前記透水舗装材５とを連通させるための連通部４ａを有する。そして、側溝蓋４は、複数の蓋構成部材７、７を備える。これら複数の蓋構成部材７、７は、透水舗装材５に浸透した雨水を側溝３内の排水路３ｄに導くための間隙８、８を、間に形成するように並べられている。そこで、複数の蓋構成部材７、７のうちのすくなくとも一部（図示実施の形態においては全部）は、前記間隙８に面するとともに、透水舗装材５に浸透した雨水を集水するようにして側溝３の排水路３ｄに導く、傾斜面７ａを有する。また、側溝蓋４は、排水性舗装部２と透水舗装材５とを隔てるように設けられるとともに上端が露出する縁切り部４ｂを備える。そして、前記連通部４ａは、前記縁切り部４ｂに設けられた孔または切欠きからなる。
【００２０】
具体的には、側溝蓋４は、側溝３の蓋掛り部３ａ、３ａのそれぞれに配置されるベース部材９としての、第１および第２のベース部材９０１、９０２を備える。詳細には、第１のベース部材９０１が、第１の蓋掛り部３０１に、その長手方向に沿って延びるように配置され、第２のベース部材９０２が、第２の蓋掛り部３０２に、その長手方向に沿って延びるように配置される。ここにおいて、ベース部材９（９０１、９０２）は、Ｌ形鋼からなり、そのＬ形鋼の一方の片が、蓋掛り部３ａに載る底片９ａとなり、他方の片が、底片９ａから立ち上がる側片９ｂとなっている。ここにおいて、第１のベース部材９０１の側片９ｂは、側溝３における側壁３ｂの外面と面一となって、その側溝３における突設部３ｃとほぼ同一の高さとなるまで延びている。そして、第１のベース部材９０１の側片９ｂの上部部分が、前記縁切り部４ｂとなっている。そこで、この縁切り部４ｂに、前記連通部４ａとなる切欠きが、上端から下方に向かって切り欠かれて形成されている。一方、第２のベース部材９０２の側片９ｂは、突設部３ｃに沿ってその突設部３ｃの中間高さ位置まで延びている。
【００２１】
複数の蓋構成部材７、７は、前記両ベース部材９、９（９０１、９０２）に渡されるようにして、それらベース部材９、９に、例えば溶接により固定されている。このとき、蓋構成部材７は、ベース部材９、９の底片９ａ、９ａに載り、その蓋構成部材７の側端面７ｂ、７ｂが、ベース部材９、９の側片９ｂ、９ｂに当接あるいは近接している。そして、複数の蓋構成部材７、７は、側溝３の延びる方向に並んでいる。ここにおいて、複数の蓋構成部材７、７のほぼ全て（全てを含む）は、前記傾斜面７ａを両側に有する形材からなる。図示実施の形態においては、複数の蓋構成部材７、７の全てがこの形材からなる。すなわち、蓋構成部材７を形成する形材は、Ｌ形鋼であって、その開口側が下方を向くようにして、つまり、上方に凸となるような山形を形成するように伏せられて配置されることで、その両片が、前記傾斜面７ａ、７ａを形成している。こうして、蓋構成部材７、７間の間隙８は、下方ほど幅狭となるように形成されて、前記雨水が集水される。なお、符号１０は、側溝蓋４が、側溝３の蓋掛り部３ａから横にずれるのを防止する、位置決め部材である。
【００２２】
次に、以上の構成からなる側溝蓋４および排水構造６の作用効果について説明する。この側溝蓋４および排水構造６によると、側溝３に掛けられる側溝蓋４が、透水舗装材５によって覆われることで、この側溝蓋４部分は、側溝３の側方の排水性舗装部２（詳細には上層を形成する透水層２ｂ）と、一体的となって調和が図られる。そして、側溝蓋４の上方の雨水は、側溝蓋４を覆う透水舗装材５に浸透し、蓋構成部材７、７間の間隙８、８を通って側溝３内の排水路３ｄに導かれる。また、側溝３の側方の排水性舗装部２の上方の雨水は、その排水性舗装部２における透水層２ｂに浸透する。そして、その透水層２ｂに浸透した雨水は、連通部４ａを通って、側溝蓋４を覆う透水舗装材５側に浸透するようにして流入し、蓋構成部材７、７間の間隙８、８を通って側溝３内の排水路３ｄに導かれる。このように、側溝蓋４の上方の雨水や排水性舗装部２（詳細には、透水層２ｂ）に浸透した雨水は、側溝蓋４を覆う透水舗装材５と、蓋構成部材７、７間の間隙８、８とを介すことで、簡単に側溝３内の排水路３ｄに取り入れられる。
【００２３】
また、ここにおいて、複数の蓋構成部材７、７のうちの少なくとも一部（図示実施の形態においては全て）は、雨水を集水するようにして側溝３内の排水路３ｄに導く傾斜面７ａを有しており、側溝蓋４を覆う透水舗装材５に浸透した雨水の少なくとも一部（図示実施の形態においてはほぼ全部）は、この傾斜面７ａによって、集水されて排水路３ｄに導かれる。特に図示実施の形態においては、蓋構成部材７は、頂部に平面部を有しないため、雨水が、蓋構成部材７の頂部に溜まることなく、スムーズに間隙８を通って排水路３ｄに導かれる。
【００２４】
そして、蓋構成部材７が、傾斜面７ａを両側に有する形材からなることで、この形材により、蓋構成部材７の傾斜面７ａが容易に形成される。しかも、この形材により、蓋構成部材７、ひいては側溝蓋４は、上からの荷重に対する強度が大となる。
【００２５】
また、側溝蓋４が、排水性舗装部２と前記透水舗装材５とを隔てるように設けられるとともに上端が露出する縁切り部４ｂを備えることで、この縁切り部４ｂを目安にして、側溝蓋４の位置、ひいては側溝３の位置を確認することができる。しかも、排水性舗装部２が、何らかの原因で沈下した場合であっても、縁切り部４ｂにより、その排水性舗装部２と透水舗装材５との間のひび割れを避けることが可能となる。
【００２６】
なお、本発明は、上述した実施の形態に限定されるわけではなく、その他種々の変更が可能である。例えば、蓋構成部材７の側端面７ｂは、第１のベース部材９０１の側片９ｂに当接あるいは近接しなくとも、図５および図６に示すように、離れていてもよい。そして、この場合には、透水舗装材５の舗装材が、蓋構成部材７の側端面７ｂ側から側溝３内の排水路３ｄに落下しないように、その側端面７ｂに落下防止部材１１が設けられるのが好ましい。
【００２７】
また、参考例ではあるが、側溝蓋４は、縁切り部４ｂを備えているが、図７に示すように、第１のベース部材９０１の側片９ｂが短く形成されることで、前記縁切り部４ｂを備えないようにしてもよい。この場合、この第１のベース部材９０１の短くなった側片９ｂの上方が、排水性舗装部２の透水層２ｂと、側溝蓋４を覆う透水舗装材５とを連通させる連通部４ａとなる。
【００２８】
また、排水性舗装部２は、側溝３の一方の側だけでなく、図８に示すように、両側にあってもよい。この場合には、側溝３における第２の蓋掛り部３０２側の突設部３ｃを除くことで、その第２の蓋掛り部３０２を第１の蓋掛り部３０１と同様の形状とし、側溝蓋４において、第２のベース部材９０２側を、第１のベース部材９０１側と同様の構造とする。
【００２９】
また、側溝蓋４の蓋構成部材７は、両蓋掛り部３０１、３０２に渡されるように（図示実施の形態においては、蓋掛り部３０１、３０２に載るベース部材９０１、９０２に架けられるように）配置されなくとも、図９に示すように、側溝３の延びる方向に沿うように配置されてもよい。ここで、蓋掛り部３０１、３０２には、ベース部材１２、１２が間隔を置いて架けられている。そして、複数の蓋構成部材７、７が、間に間隙８を形成するようにしてベース部材１２、１２に架けられて、蓋掛り部３０１、３０２間に並んでいる。
【００３０】
また、蓋構成部材７を形成する形材は、Ｌ形鋼でなくとも、図１０に示すように、半円型の形鋼であってもよく、また、図１１に示すように、台形型の形鋼であってもよい。さらには、側溝蓋４は、図１２に示すように、Ｌ形鋼からなる蓋構成部材７の一つあるいは複数と、みぞ形鋼からなる蓋構成部材７の一つあるいは複数とが順に並ぶように配置されてもよく、図１３に示すように、Ｌ形鋼からなる蓋構成部材７の一つあるいは複数と、鋼板からなる蓋構成部材７の一つあるいは複数とが順に並ぶように配置されてもよく、図１４に示すように、Ｌ型鋼からなる蓋構成部材７の一つあるいは複数と、鋼棒からなる蓋構成部材７の一つあるいは複数とが順に並ぶように配置されてもよい。すなわち、蓋構成部材７の形状とか配置形態は、本発明の趣旨を逸脱しない範囲においてどのような構成であってもよい。また、蓋構成部材７は、鋼材に限定されるものではなく、アルミ等その他の金属材料からなっていてもよい。
【００３１】
また、本発明は、側溝３が、排水性舗装部２に隣接して埋設される場合だけでなく、側溝３が、例えば歩道において、透水性舗装部（すなわち、不透水層２ａを有せず透水層２ｂからなる舗装部）に隣接して埋設される場合にも適用されるものである。
【図面の簡単な説明】
【００３２】
【図１】この発明の一実施の形態の正面図である。
【図２】同じく、右側面図である。
【図３】同じく、平面図である。
【図４】図１におけるＡ−Ａ線による拡大断面図である。
【図５】この発明の、第１の変形態様を示す正面図である。
【図６】図５におけるＢ−Ｂ線による断面図である。
【図７】この発明の、参考例としての第２の変形態様を示す正面図である。
【図８】この発明の、第３の変形態様を示す正面図である。
【図９】この発明の、第４の変形態様を示す平面図である。
【図１０】この発明における蓋構成部材の、第１の変形例を示す図４相当図である。
【図１１】この発明における蓋構成部材の、第２の変形例を示す図４相当図である。
【図１２】この発明における蓋構成部材の、第３の変形例を示す図４相当図である。
【図１３】この発明における蓋構成部材の、第４の変形例を示す図４相当図である。
【図１４】この発明における蓋構成部材の、第５の変形例を示す図４相当図である。
【符号の説明】
【００３３】
２  排水性舗装部
２ｂ  透水層
３  側溝
３ａ  蓋掛り部
３ｄ  排水路
４  側溝蓋
４ａ  連通部
４ｂ  縁切り部
５  透水舗装材
６  排水構造
７  蓋構成部材
７ａ  傾斜面
８  間隙
９  ベース部材
３０１  第１の蓋掛り部（蓋掛り部）
３０２  第２の蓋掛り部（蓋掛り部）
９０１  第１のベース部材（ベース部材）
９０２  第２のベース部材（ベース部材）
【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
排水性舗装部または透水性舗装部に隣接して埋設される側溝の蓋掛り部に掛けられ、かつ、透水舗装材によって覆われるように配備される、側溝蓋であって、
前記排水性舗装部または透水性舗装部と前記透水舗装材とを隔てるように設けられるとともに上端が露出する縁切り部を備え、その縁切り部に、前記排水性舗装部または透水性舗装部における透水層と前記透水舗装材とを連通させるための連通部が設けられ、また、
前記透水舗装材によって覆われることとなる複数の蓋構成部材を備え、それら複数の蓋構成部材は、前記透水舗装材に浸透した雨水を前記側溝内の排水路に導くための間隙を、間に形成するように並べられていることを特徴とする側溝蓋。
【請求項２】
前記複数の蓋構成部材のうちの少なくとも一部は、前記間隙に面するとともに、前記透水舗装材に浸透した雨水を集水するようにして前記排水路に導く、傾斜面を有することを特徴とする請求項１に記載の側溝蓋。
【請求項３】
前記複数の蓋構成部材は、前記間隙に面するとともに、前記透水舗装材に浸透した雨水を集水するようにして前記排水路に導く、傾斜面を両側に有する、形材からなることを特徴とする請求項１に記載の側溝蓋。
【請求項４】
前記側溝の蓋掛り部のそれぞれに配置されることとなるベース部材を備え、
前記蓋構成部材は、前記両ベース部材に渡されるように並べて固定されていることを特徴とする請求項１ないし３のいずれか１項に記載の側溝蓋。
【請求項５】
前記ベース部材のすくなくとも一方は、Ｌ形鋼からなり、そのＬ形鋼の一方の片が、前記蓋掛り部に載ることとなる底片となり、他方の片が、前記底片から立ち上る側片となっており、その側片の上部部分が、前記縁切り部となっていることを特徴とする請求項４に記載の側溝蓋。
【請求項６】
排水性舗装部または透水性舗装部と、その排水性舗装部または透水性舗装部に隣接して埋設される側溝と、その側溝の蓋掛り部に掛けられる側溝蓋と、その側溝蓋を覆う透水舗装材とからなる排水構造であって、
前記側溝蓋は、前記排水性舗装部または透水性舗装部と前記透水舗装材とを隔てるように設けられるとともに上端が露出する縁切り部を備え、その縁切り部に、前記排水性舗装部または透水性舗装部における透水層と前記透水舗装材とを連通させるための連通部が設けられ、また、
前記側溝蓋は、前記透水舗装材によって覆われる複数の蓋構成部材を備え、それら複数の蓋構成部材は、前記透水舗装材に浸透した雨水を前記側溝内の排水路に導くための間隙を、間に形成するように並べられていることを特徴とする、側溝蓋を用いた排水構造。
【請求項７】
前記側溝蓋は、前記側溝の蓋掛り部のそれぞれに配置されるベース部材を備え、
前記蓋構成部材は、前記両ベース部材に渡されるように並べて固定されており、
前記ベース部材のすくなくとも一方は、Ｌ形鋼からなり、そのＬ形鋼の一方の片が、前記蓋掛り部に載る底片となり、他方の片が、前記底片から立ち上る側片となっており、その側片の上部部分が、前記縁切り部となっていることを特徴とする請求項６に記載の、側溝蓋を用いた排水構造。
【手続補正２】
【補正対象書類名】明細書
【補正対象項目名】全文
【補正方法】変更
【補正の内容】
【発明の詳細な説明】
【技術分野】
【０００１】
この発明は、側溝内の排水路に雨水を導くための側溝蓋、および、側溝蓋を用いた排水構造に関するものである。
【背景技術】
【０００２】
従来の側溝蓋としては、コンクリート蓋とか、鋼製のグレーチングとかがあった。
【発明の開示】
【発明が解決しようとする課題】
【０００３】
ところで、前記従来の側溝蓋にあっては、その側溝蓋は、その上面が露出しており、周囲の路面との調和が取れていなかった。
【０００４】
また、側溝の側方が、排水性舗装された道路等、すなわち排水性舗装部である場合には、その排水性舗装部に浸透した雨水を側溝内に導くために、側溝に導水孔を設けたりしなければならなかった。また、側溝の側方が、透水性舗装された道路等、すなわち透水性舗装部である場合にあっても、その透水性舗装部に浸透した雨水の一部を側溝内に導くために、側溝に導水孔を設けることがあった。
【０００５】
この発明は、上記した従来の欠点を解決するためになされたものであり、その目的とするところは、側溝の側方の排水性舗装部または透水性舗装部との調和を図ることができ、かつ、側溝蓋の上方の雨水や排水性舗装部または透水性舗装部に浸透した雨水を、簡単に側溝内に取り入れることができる、側溝蓋、および、側溝蓋を用いた排水構造を提供することにある。
【課題を解決するための手段】
【０００６】
この発明に係る側溝蓋、および、側溝蓋を用いた排水構造は、前記目的を達成するために、次の構成からなる。すなわち、
請求項１に記載の発明に係る側溝蓋は、排水性舗装部または透水性舗装部に隣接して埋設される側溝の蓋掛り部に掛けられ、かつ、透水舗装材によって覆われるように配備される、側溝蓋である。この側溝蓋は、前記排水性舗装部または透水性舗装部と前記透水舗装材とを隔てるように設けられるとともに上端が露出する縁切り部を備え、その縁切り部に、前記排水性舗装部または透水性舗装部における透水層と前記透水舗装材とを連通させるための連通部が設けられる。そして、側溝蓋は、前記透水舗装材によって覆われることとなる複数の蓋構成部材を備え、それら複数の蓋構成部材は、前記透水舗装材に浸透した雨水を前記側溝内の排水路に導くための間隙を、間に形成するように並べられている。
【０００７】
こうして、側溝に掛けられる側溝蓋が、透水舗装材によって覆われることで、この側溝蓋部分は、側溝の側方の排水性舗装部または透水性舗装部と、調和することとなる。そして、側溝蓋の上方の雨水は、側溝蓋を覆う透水舗装材に浸透し、蓋構成部材間の間隙を通って側溝内の排水路に導かれる。また、側溝の側方の排水性舗装部または透水性舗装部の上方の雨水は、その排水性舗装部または透水性舗装部における透水層に浸透し、さらに、連通部を通って、側溝蓋を覆う透水舗装材側に浸透するようにして流入し、蓋構成部材間の間隙を通って側溝内の排水路に導かれる。このように、側溝蓋の上方の雨水や排水性舗装部または透水性舗装部に浸透した雨水は、側溝蓋を覆う透水舗装材と、蓋構成部材間の間隙とを介すことで、簡単に側溝内の排水路に取り入れられる。また、側溝蓋が、排水性舗装部または透水性舗装部と透水舗装材とを隔てるように設けられるとともに上端が露出する縁切り部を備えることで、この縁切り部を目安にして、側溝蓋の位置、ひいては側溝の位置を確認することができる。しかも、排水性舗装部または透水性舗装部が、沈下した場合であっても、縁切り部により、その排水性舗装部または透水性舗装部と透水舗装材との間のひび割れを避けることが可能となる。
【０００８】
また、請求項２に記載の発明に係る側溝蓋のように、請求項１に記載の側溝蓋において、前記複数の蓋構成部材のうちの少なくとも一部は、前記間隙に面するとともに、前記透水舗装材に浸透した雨水を集水するようにして前記排水路に導く、傾斜面を有するのが望ましい。これにより、透水舗装材に浸透した雨水の少なくとも一部は、この傾斜面によって、集水されて側溝内の排水路に導かれる。
【０００９】
また、請求項３に記載の発明に係る側溝蓋のように、請求項１に記載の側溝蓋において、前記複数の蓋構成部材は、前記間隙に面するとともに、前記透水舗装材に浸透した雨水を集水するようにして前記排水路に導く、傾斜面を両側に有する、形材からなってもよい。このように、蓋構成部材が、傾斜面を両側に有する形材からなることで、この形材により、蓋構成部材の傾斜面が容易に形成される。そして、透水舗装材に浸透した雨水は、この傾斜面によって、集水されて側溝内の排水路に導かれる。しかも、この形材により、蓋構成部材、ひいては側溝蓋は、上からの荷重に対する強度が大となる。
【００１０】
【００１１】
【００１２】
また、請求項４に記載の発明に係る側溝蓋のように、請求項１ないし３のいずれか１項に記載の側溝蓋において、前記側溝の蓋掛り部のそれぞれに配置されることとなるベース部材を備え、前記蓋構成部材は、前記両ベース部材に渡されるように並べて固定されていてもよい。
また、請求項５に記載の発明に係る側溝蓋のように、請求項４に記載の側溝蓋において、前記ベース部材のすくなくとも一方は、Ｌ形鋼からなり、そのＬ形鋼の一方の片が、前記蓋掛り部に載ることとなる底片となり、他方の片が、前記底片から立ち上る側片となっており、その側片の上部部分が、前記縁切り部となっていてもよい。
【００１３】
また、請求項６に記載の発明に係る側溝蓋を用いた排水構造は、排水性舗装部または透水性舗装部と、その排水性舗装部または透水性舗装部に隣接して埋設される側溝と、その側溝の蓋掛り部に掛けられる側溝蓋と、その側溝蓋を覆う透水舗装材とからなる。ここで、前記側溝蓋は、前記排水性舗装部または透水性舗装部と前記透水舗装材とを隔てるように設けられるとともに上端が露出する縁切り部を備え、その縁切り部に、前記排水性舗装部または透水性舗装部における透水層と前記透水舗装材とを連通させるための連通部が設けられる。そして、前記側溝蓋は、前記透水舗装材によって覆われる複数の蓋構成部材を備え、それら複数の蓋構成部材は、前記透水舗装材に浸透した雨水を前記側溝内の排水路に導くための間隙を、間に形成するように並べられている。
【００１４】
この排水構造によると、側溝に掛けられる側溝蓋が、透水舗装材によって覆われることで、この側溝蓋部分は、側溝の側方の排水性舗装部または透水性舗装部と、調和することとなる。そして、側溝蓋の上方の雨水は、側溝蓋を覆う透水舗装材に浸透し、蓋構成部材間の間隙を通って側溝内の排水路に導かれる。また、側溝の側方の排水性舗装部または透水性舗装部の上方の雨水は、その排水性舗装部または透水性舗装部における透水層に浸透し、さらに、連通部を通って、側溝蓋を覆う透水舗装材側に浸透するようにして流入し、蓋構成部材間の間隙を通って側溝内の排水路に導かれる。このように、側溝蓋の上方の雨水や排水性舗装部または透水性舗装部に浸透した雨水は、側溝蓋を覆う透水舗装材と、蓋構成部材間の間隙とを介すことで、簡単に側溝内の排水路に取り入れられる。また、側溝蓋が、排水性舗装部または透水性舗装部と透水舗装材とを隔てるように設けられるとともに上端が露出する縁切り部を備えることで、この縁切り部を目安にして、側溝蓋の位置、ひいては側溝の位置を確認することができる。しかも、排水性舗装部または透水性舗装部が、沈下した場合であっても、縁切り部により、その排水性舗装部または透水性舗装部と透水舗装材との間のひび割れを避けることが可能となる。
また、請求項７に記載の発明に係る側溝蓋を用いた排水構造のように、請求項６に記載の排水構造において、前記側溝蓋は、前記側溝の蓋掛り部のそれぞれに配置されるベース部材を備え、前記蓋構成部材は、前記両ベース部材に渡されるように並べて固定されており、前記ベース部材のすくなくとも一方は、Ｌ形鋼からなり、そのＬ形鋼の一方の片が、前記蓋掛り部に載る底片となり、他方の片が、前記底片から立ち上る側片となっており、その側片の上部部分が、前記縁切り部となっていてもよい。
【発明の効果】
【００１５】
この発明に係る側溝蓋、および、側溝蓋を用いた排水構造によれば、側溝に掛けられる側溝蓋が、透水舗装材によって覆われることで、側溝の側方の排水性舗装部または透水性舗装部との調和を図ることができる。そして、側溝蓋を覆う透水舗装材と、蓋構成部材間の間隙とを介すことで、側溝蓋の上方の雨水や排水性舗装部または透水性舗装部に浸透した雨水を、簡単に側溝内に取り入れることができる。また、縁切り部を目安にして、側溝蓋の位置、ひいては側溝の位置を確認することができる。しかも、排水性舗装部または透水性舗装部が、沈下した場合であっても、縁切り部により、その排水性舗装部または透水性舗装部と透水舗装材との間のひび割れを避けることが可能となる。
【発明を実施するための最良の形態】
【００１６】
以下、この発明に係る側溝蓋、および、側溝蓋を用いた排水構造を実施するための最良の形態を図面に基づいて説明する。
【００１７】
図１ないし図４は、本発明の一実施の形態を示す。図中符号１は、路床である。２は、前記路床１上の排水性舗装部である。３は、側溝であって、道路（車道あるいは歩道、特に車道）とか駐車場等において、排水性舗装部２に隣接して埋設される。４は、側溝蓋であって、前記側溝３の蓋掛り部３ａ、３ａに掛けられ、かつ、透水舗装材５によって覆われるように配備される。６は、排水構造であって、前記排水性舗装部２と、前記側溝３と、前記側溝蓋４と、その側溝蓋４を覆う透水舗装材５とからなる。
【００１８】
ここで、排水性舗装部２は、路床１の上に敷設された不透水層２ａと、その不透水層２ａの上に敷設された透水層２ｂとからなる。側溝３は、例えばＵ字側溝からなる。この側溝３は、側溝蓋４が掛けられる蓋掛り部３ａとしての第１および第２の蓋掛り部３０１、３０２を備えている。第１の蓋掛り部３０１は、側溝３における一方の側壁３ｂの上端面からなる。第２の蓋掛り部３０２は、第１の蓋掛り部３０１と同一高さであって、側溝３における他方の側壁３ｂの、内側部分の上端面からなる。そして、この他方の側壁３ｂの、外側部分は、第２の蓋掛り部３０２よりも上方に突出する突設部３ｃとなっている。
【００１９】
側溝蓋４は、排水性舗装部２における透水層２ｂと前記透水舗装材５とを連通させるための連通部４ａを有する。そして、側溝蓋４は、複数の蓋構成部材７、７を備える。これら複数の蓋構成部材７、７は、透水舗装材５に浸透した雨水を側溝３内の排水路３ｄに導くための間隙８、８を、間に形成するように並べられている。そこで、複数の蓋構成部材７、７のうちのすくなくとも一部（図示実施の形態においては全部）は、前記間隙８に面するとともに、透水舗装材５に浸透した雨水を集水するようにして側溝３の排水路３ｄに導く、傾斜面７ａを有する。また、側溝蓋４は、排水性舗装部２と透水舗装材５とを隔てるように設けられるとともに上端が露出する縁切り部４ｂを備える。そして、前記連通部４ａは、前記縁切り部４ｂに設けられた孔または切欠きからなる。
【００２０】
具体的には、側溝蓋４は、側溝３の蓋掛り部３ａ、３ａのそれぞれに配置されるベース部材９としての、第１および第２のベース部材９０１、９０２を備える。詳細には、第１のベース部材９０１が、第１の蓋掛り部３０１に、その長手方向に沿って延びるように配置され、第２のベース部材９０２が、第２の蓋掛り部３０２に、その長手方向に沿って延びるように配置される。ここにおいて、ベース部材９（９０１、９０２）は、Ｌ形鋼からなり、そのＬ形鋼の一方の片が、蓋掛り部３ａに載る底片９ａとなり、他方の片が、底片９ａから立ち上がる側片９ｂとなっている。ここにおいて、第１のベース部材９０１の側片９ｂは、側溝３における側壁３ｂの外面と面一となって、その側溝３における突設部３ｃとほぼ同一の高さとなるまで延びている。そして、第１のベース部材９０１の側片９ｂの上部部分が、前記縁切り部４ｂとなっている。そこで、この縁切り部４ｂに、前記連通部４ａとなる切欠きが、上端から下方に向かって切り欠かれて形成されている。一方、第２のベース部材９０２の側片９ｂは、突設部３ｃに沿ってその突設部３ｃの中間高さ位置まで延びている。
【００２１】
複数の蓋構成部材７、７は、前記両ベース部材９、９（９０１、９０２）に渡されるようにして、それらベース部材９、９に、例えば溶接により固定されている。このとき、蓋構成部材７は、ベース部材９、９の底片９ａ、９ａに載り、その蓋構成部材７の側端面７ｂ、７ｂが、ベース部材９、９の側片９ｂ、９ｂに当接あるいは近接している。そして、複数の蓋構成部材７、７は、側溝３の延びる方向に並んでいる。ここにおいて、複数の蓋構成部材７、７のほぼ全て（全てを含む）は、前記傾斜面７ａを両側に有する形材からなる。図示実施の形態においては、複数の蓋構成部材７、７の全てがこの形材からなる。すなわち、蓋構成部材７を形成する形材は、Ｌ形鋼であって、その開口側が下方を向くようにして、つまり、上方に凸となるような山形を形成するように伏せられて配置されることで、その両片が、前記傾斜面７ａ、７ａを形成している。こうして、蓋構成部材７、７間の間隙８は、下方ほど幅狭となるように形成されて、前記雨水が集水される。なお、符号１０は、側溝蓋４が、側溝３の蓋掛り部３ａから横にずれるのを防止する、位置決め部材である。
【００２２】
次に、以上の構成からなる側溝蓋４および排水構造６の作用効果について説明する。この側溝蓋４および排水構造６によると、側溝３に掛けられる側溝蓋４が、透水舗装材５によって覆われることで、この側溝蓋４部分は、側溝３の側方の排水性舗装部２（詳細には上層を形成する透水層２ｂ）と、一体的となって調和が図られる。そして、側溝蓋４の上方の雨水は、側溝蓋４を覆う透水舗装材５に浸透し、蓋構成部材７、７間の間隙８、８を通って側溝３内の排水路３ｄに導かれる。また、側溝３の側方の排水性舗装部２の上方の雨水は、その排水性舗装部２における透水層２ｂに浸透する。そして、その透水層２ｂに浸透した雨水は、連通部４ａを通って、側溝蓋４を覆う透水舗装材５側に浸透するようにして流入し、蓋構成部材７、７間の間隙８、８を通って側溝３内の排水路３ｄに導かれる。このように、側溝蓋４の上方の雨水や排水性舗装部２（詳細には、透水層２ｂ）に浸透した雨水は、側溝蓋４を覆う透水舗装材５と、蓋構成部材７、７間の間隙８、８とを介すことで、簡単に側溝３内の排水路３ｄに取り入れられる。
【００２３】
また、ここにおいて、複数の蓋構成部材７、７のうちの少なくとも一部（図示実施の形態においては全て）は、雨水を集水するようにして側溝３内の排水路３ｄに導く傾斜面７ａを有しており、側溝蓋４を覆う透水舗装材５に浸透した雨水の少なくとも一部（図示実施の形態においてはほぼ全部）は、この傾斜面７ａによって、集水されて排水路３ｄに導かれる。特に図示実施の形態においては、蓋構成部材７は、頂部に平面部を有しないため、雨水が、蓋構成部材７の頂部に溜まることなく、スムーズに間隙８を通って排水路３ｄに導かれる。
【００２４】
そして、蓋構成部材７が、傾斜面７ａを両側に有する形材からなることで、この形材により、蓋構成部材７の傾斜面７ａが容易に形成される。しかも、この形材により、蓋構成部材７、ひいては側溝蓋４は、上からの荷重に対する強度が大となる。
【００２５】
また、側溝蓋４が、排水性舗装部２と前記透水舗装材５とを隔てるように設けられるとともに上端が露出する縁切り部４ｂを備えることで、この縁切り部４ｂを目安にして、側溝蓋４の位置、ひいては側溝３の位置を確認することができる。しかも、排水性舗装部２が、何らかの原因で沈下した場合であっても、縁切り部４ｂにより、その排水性舗装部２と透水舗装材５との間のひび割れを避けることが可能となる。
【００２６】
なお、本発明は、上述した実施の形態に限定されるわけではなく、その他種々の変更が可能である。例えば、蓋構成部材７の側端面７ｂは、第１のベース部材９０１の側片９ｂに当接あるいは近接しなくとも、図５および図６に示すように、離れていてもよい。そして、この場合には、透水舗装材５の舗装材が、蓋構成部材７の側端面７ｂ側から側溝３内の排水路３ｄに落下しないように、その側端面７ｂに落下防止部材１１が設けられるのが好ましい。
【００２７】
また、参考例ではあるが、側溝蓋４は、縁切り部４ｂを備えているが、図７に示すように、第１のベース部材９０１の側片９ｂが短く形成されることで、前記縁切り部４ｂを備えないようにしてもよい。この場合、この第１のベース部材９０１の短くなった側片９ｂの上方が、排水性舗装部２の透水層２ｂと、側溝蓋４を覆う透水舗装材５とを連通させる連通部４ａとなる。
【００２８】
また、排水性舗装部２は、側溝３の一方の側だけでなく、図８に示すように、両側にあってもよい。この場合には、側溝３における第２の蓋掛り部３０２側の突設部３ｃを除くことで、その第２の蓋掛り部３０２を第１の蓋掛り部３０１と同様の形状とし、側溝蓋４において、第２のベース部材９０２側を、第１のベース部材９０１側と同様の構造とする。
【００２９】
また、側溝蓋４の蓋構成部材７は、両蓋掛り部３０１、３０２に渡されるように（図示実施の形態においては、蓋掛り部３０１、３０２に載るベース部材９０１、９０２に架けられるように）配置されなくとも、図９に示すように、側溝３の延びる方向に沿うように配置されてもよい。ここで、蓋掛り部３０１、３０２には、ベース部材１２、１２が間隔を置いて架けられている。そして、複数の蓋構成部材７、７が、間に間隙８を形成するようにしてベース部材１２、１２に架けられて、蓋掛り部３０１、３０２間に並んでいる。
【００３０】
また、蓋構成部材７を形成する形材は、Ｌ形鋼でなくとも、図１０に示すように、半円型の形鋼であってもよく、また、図１１に示すように、台形型の形鋼であってもよい。さらには、側溝蓋４は、図１２に示すように、Ｌ形鋼からなる蓋構成部材７の一つあるいは複数と、みぞ形鋼からなる蓋構成部材７の一つあるいは複数とが順に並ぶように配置されてもよく、図１３に示すように、Ｌ形鋼からなる蓋構成部材７の一つあるいは複数と、鋼板からなる蓋構成部材７の一つあるいは複数とが順に並ぶように配置されてもよく、図１４に示すように、Ｌ型鋼からなる蓋構成部材７の一つあるいは複数と、鋼棒からなる蓋構成部材７の一つあるいは複数とが順に並ぶように配置されてもよい。すなわち、蓋構成部材７の形状とか配置形態は、本発明の趣旨を逸脱しない範囲においてどのような構成であってもよい。また、蓋構成部材７は、鋼材に限定されるものではなく、アルミ等その他の金属材料からなっていてもよい。
【００３１】
また、本発明は、側溝３が、排水性舗装部２に隣接して埋設される場合だけでなく、側溝３が、例えば歩道において、透水性舗装部（すなわち、不透水層２ａを有せず透水層２ｂからなる舗装部）に隣接して埋設される場合にも適用されるものである。
【図面の簡単な説明】
【００３２】
【図１】この発明の一実施の形態の正面図である。
【図２】同じく、右側面図である。
【図３】同じく、平面図である。
【図４】図１におけるＡ−Ａ線による拡大断面図である。
【図５】この発明の、第１の変形態様を示す正面図である。
【図６】図５におけるＢ−Ｂ線による断面図である。
【図７】この発明の、参考例としての第２の変形態様を示す正面図である。
【図８】この発明の、第３の変形態様を示す正面図である。
【図９】この発明の、第４の変形態様を示す平面図である。
【図１０】この発明における蓋構成部材の、第１の変形例を示す図４相当図である。
【図１１】この発明における蓋構成部材の、第２の変形例を示す図４相当図である。
【図１２】この発明における蓋構成部材の、第３の変形例を示す図４相当図である。
【図１３】この発明における蓋構成部材の、第４の変形例を示す図４相当図である。
【図１４】この発明における蓋構成部材の、第５の変形例を示す図４相当図である。
【符号の説明】
【００３３】
２  排水性舗装部
２ｂ  透水層
３  側溝
３ａ  蓋掛り部
３ｄ  排水路
４  側溝蓋
４ａ  連通部
４ｂ  縁切り部
５  透水舗装材
６  排水構造
７  蓋構成部材
７ａ  傾斜面
８  間隙
９  ベース部材
３０１  第１の蓋掛り部（蓋掛り部）
３０２  第２の蓋掛り部（蓋掛り部）
９０１  第１のベース部材（ベース部材）
９０２  第２のベース部材（ベース部材）